【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
周囲に複数の図柄が付された複数個の回転リールと、
回転リールの回転を開始させるためのスタートスイッチと、
回転リールの回転を停止させるためのストップスイッチと、
回転リールの図柄の停止表示の態様により構成される当選役を抽選により決定するための役抽選手段とを備え、
スタートスイッチの操作により回転リールの回転を開始させるとともに、役抽選手段により所定の役の当否の抽選を行い、その抽選の結果及びストップスイッチの操作に基づいて回転リールの回転を停止させ、当選した役に係る図柄の組み合わせが表示窓の所定位置に揃ったか否かの判定を行い、その判定の結果に応じて所定の利益を遊技者に付与する又は付与しないことで１回の遊技が終了する遊技機であって、
各回転リールに対応して設けられ、回転リールを駆動するためのステッピングモータと、
各ステッピングモータを駆動するためのパルス信号を出力するモータ駆動制御手段と、
モータ駆動制御手段が出力する各ステッピングモータのパルス信号のパルス数をカウントするパルスカウンタと、
各回転リールに対応して設けられ、回転リールの回転位置を検出するために回転リールの所定位置に設けたインデックスと、
各回転リールに対応して設けられ、インデックスの通過を検知するためのインデックス検知装置と、
インデックス検知装置によるインデックス通知の検出により、回転リールの特定図柄の回転位置を把握する回転位置判断手段と、
回転リールの回転開始から各インデックス検知装置がインデックスを検出するまでにパルスカウンタがカウントした各ステッピングモータのパルス信号のパルス数を検出可能な回転量検出手段と、
特定図柄を複数の回転リールにより構成される所定の配置態様とする回胴演出を行う回胴演出制御手段と、
回胴演出制御手段による回胴演出後、ストップスイッチによる停止操作が可能となる前に、停止している各回転リールを回転開始させるまでの時間をランダムに選択することにより、所定の配置態様となっている前記特定図柄をランダムに再配置するための再配置制御手段とを備えていることを特徴とする遊技機。
【請求項２】
前記再配置制御手段は、前記各回転リールを回転開始させるまでの時間（以下、「遅延時間」という。）を抽選により決定する時間抽選手段を備え、前記時間抽選手段の抽選結果に基づき、各回転リールについてそれぞれ独立して遅延時間が設定されるように形成されていることを特徴とする請求項１記載の遊技機。
【請求項３】
前記遅延時間を計時するための計時手段を備え、
前記計時手段は、前記各回転リールに設定された遅延時間の計時を同時に開始することを特徴とする請求項２記載の遊技機。
【請求項４】
前記回胴演出制御手段は、前記回転位置判断手段により把握される回転中の各回転リールの現在位置を参照して回胴演出を行うことを特徴とする請求項１、２又は３記載の遊技機。
【請求項５】
前記回転量検出手段が検出したパルス数に基づいて、全ての回転リールにおける回転開始前の停止態様を算出するための回転前停止態様算出手段を備え、
前記回胴演出制御手段は、前記回転前停止態様算出手段が算出した回転開始前の停止態様を参照して回胴演出を行うことを特徴とする請求項１、２又は３記載の遊技機。
【手続補正２】
【補正対象書類名】明細書
【補正対象項目名】０００６
【補正方法】変更
【補正の内容】
【０００６】
（請求項１）
請求項１記載の発明に係る遊技機(10)は、周囲に複数の図柄(61)が付された複数個の回転リール(40)と、回転リール(40)の回転を開始させるためのスタートスイッチ(30)と、回転リール(40)の回転を停止させるためのストップスイッチ(50)と、回転リール(40)の図柄(61)の停止表示の態様により構成される当選役を抽選により決定するための役抽選手段(110)とを備えている。
そして、この遊技機(10)は、スタートスイッチ(30)の操作により回転リール(40)の回転を開始させるとともに、役抽選手段(110)により所定の役の当否の抽選を行い、その抽選の結果及びストップスイッチ(50)の操作に基づいて回転リール(40)の回転を停止させ、当選した役に係る図柄(61)の組み合わせが表示窓(13)の所定位置に揃ったか否かの判定を行い、その判定の結果に応じて所定の利益を遊技者に付与する又は付与しないことで１回の遊技が終了するように形成されている。
【手続補正３】
【補正対象書類名】明細書
【補正対象項目名】０００７
【補正方法】変更
【補正の内容】
【０００７】
そして、各回転リール(40)に対応して設けられ、回転リール(40)を駆動するためのステッピングモータ(64)と、各ステッピングモータ(64)を駆動するためのパルス信号を出力するモータ駆動制御手段(63)と、モータ駆動制御手段(63)が出力する各ステッピングモータ(64)のパルス信号のパルス数をカウントするパルスカウンタ(320)と、各回転リール(40)に対応して設けられ、回転リール(40)の回転位置を検出するために回転リール(40)の所定位置に設けたインデックス(47)と、各回転リール(40)に対応して設けられ、インデックス(47)の通過を検知するためのインデックス検知装置(48)と、インデックス検知装置(48)によるインデックス(47)通知の検出により、回転リール(40)の特定図柄(61a)の回転位置を把握する回転位置判断手段(161)と、回転リール(40)の回転開始から各インデックス検知装置(48)がインデックス(47)を検出するまでにパルスカウンタ(320)がカウントした各ステッピングモータ(64)のパルス信号のパルス数を検出可能な回転量検出手段(330)と、特定図柄(61a)を複数の回転リール(40)により構成される所定の配置態様とする回胴演出を行う回胴演出制御手段(170)と、回胴演出制御手段(170)による回胴演出後、ストップスイッチ(50)による停止操作が可能となる前に、停止している各回転リール(40)が回転開始するまでの時間をランダムに選択することにより、所定の配置態様となっている前記特定図柄をランダムに再配置するための再配置制御手段(180)を備えていることを特徴とする。
【手続補正４】
【補正対象書類名】明細書
【補正対象項目名】０００８
【補正方法】変更
【補正の内容】
【０００８】
上記のうち、「所定の配置態様とする回胴演出を行う」ことには、以下のようなものを含む。
（ａ）回転中の回転速度を変更させることによって所定の配置態様等にする。
（ｂ）回転開始のタイミングを各回転リール(40)で変えることによって、所定の配置態様等にする。
（ｃ）一時停止によって所定の配置態様等にする。
（ｄ）回転中の回転リール(40)のうち少なくとも一部の回転リール(40)の回転方向を変化させることによって所定の配置態様等にする。
【手続補正５】
【補正対象書類名】明細書
【補正対象項目名】０００９
【補正方法】変更
【補正の内容】
【０００９】
また、「各回転リール(40)を回転開始させるまでの時間を異ならせ」る方法としては、回胴演出終了後、それぞれの回転リール(40)を回転開始させるまでの時間（遅延時間）を、抽選により決定するものとすることができる。本発明においては、全ての回転リール(40)が回転開始するまでの時間が同一でない限り、いずれかの回転リール(40)が他のいずれかの回転リール(40)と同時に回転開始する場合があってもよい。この結果、少なくとも１つの回転リール(40)が異なるタイミングで回転開始するものとなり、所定の配置態様のままで表示されている特定図柄の並びをばらけさせることができる。
（請求項２）
請求項２記載の発明は、上記した請求項１記載の発明の特徴点に加え、前記再配置制御手段(180)は、前記各回転リール(40)を回転開始させるまでの時間（以下、「遅延時間」という。）を抽選により決定する時間抽選手段(遅延時間抽選手段181)を備え、前記時間抽選手段(181)の抽選結果に基づき、各回転リール(40)についてそれぞれ独立して遅延時間が設定されるように形成されていることを特徴とする。
【手続補正６】
【補正対象書類名】明細書
【補正対象項目名】００１０
【補正方法】変更
【補正の内容】
【００１０】
ここで、「各回転リール(40)についてそれぞれ独立して遅延時間が設定される」ようにするための方法としては、各回転リール(40)ごとに抽選を行い、一の回転リール(40)対して決定された時間を、他の回転リール(40)についての抽選対象から外すようにすることや、同一抽選結果が生じた場合には、所定時間を加算又は減算して抽選結果を補正することが挙げられる。
（請求項３）
請求項３記載の発明は、上記した請求項２記載の発明の特徴点に加え、前記遅延時間を計時するための計時手段(150)を備え、前記計時手段(150)は、前記各回転リール(40)に設定された遅延時間の計時を同時に開始することを特徴とする。
（請求項４）
請求項４記載の発明は、上記した請求項１、２又は３記載の発明の特徴点に加え、前記回胴演出制御手段(170)は、前記回転位置判断手段(161)により把握される回転中の各回転リール(40)の現在位置を参照して回胴演出を行うことを特徴とする。
（請求項５）
請求項５記載の発明は、上記した請求項１、２又は３記載の発明の特徴点に加え、前記回転量検出手段(330)が検出したパルス数に基づいて、全ての回転リール(40)における回転開始前の停止態様を算出するための回転前停止態様算出手段(340)を備え、前記回胴演出制御手段(170)は、前記回転前停止態様算出手段(340)が算出した回転開始前の停止態様を参照して回胴演出を行うことを特徴とする。
【手続補正７】
【補正対象書類名】明細書
【補正対象項目名】００１１
【補正方法】変更
【補正の内容】
【００１１】
本発明は、以上のように構成されているので、以下に記載されるような効果を奏する。
（請求項１、４又は５）
請求項１、４又は５記載の発明によれば、回胴演出制御手段は、所定の配置態様のままで表示窓に表示可能な状態で回転するように所定の回転リールの回転態様を変更させ、その後、その所定の配置態様を維持した状態で複数の回転リールを同一回転速度で回転させる。これにより、複数の回転リールにおいて、所定の配置態様が揃った状態で回転するように揃わせることができ、所定の利益の付与の期待感を煽ることができる。その後、再配置制御手段が、ストップスイッチによる停止操作が可能となる前に、停止している各回転リール(40)に設定されたタイミングで回転開始させる。これにより、所定の配置態様は崩れてしまって、所定の配置態様であることによる目押しの補助となることがない。したがって、目押しの技量に熟練した遊技者にとっても、目押しの面白みが半減することもなく、遊技の興趣を向上させることができる。
【手続補正８】
【補正対象書類名】明細書
【補正対象項目名】００１２
【補正方法】変更
【補正の内容】
【００１２】
（請求項２又は３）
請求項２又は３記載の発明によれば、上記した請求項１記載の発明の効果に加え、各回転リール(40)が回転開始するまでの遅延時間をそれぞれ独立して設定でき、回転リール(40)が順次回転開始することにより所定の配置態様のままで表示されている特定図柄の並びをばらけさせることができる。